(57)【要約】【課題】ビス頭部を覆うビスキャップ３５が振動等によって脱落するのを有効に防止することができる外動片引き窓。【解決手段】窓枠に、ＦＩＸ用内障子１１と開閉可能な外障子８とを設けた外動片引き窓において、ＦＩＸ用内障子１１の下框１１ｂと上記窓枠の下枠１ｂに設けた内障子１１用案内レール４との間に固定ピース１８を配置し、固定ピース１８を下框１１ｂと案内レール４とに室内側からビス止め固定するとともに、上記下框１１ｂと案内レール４の室内側から上記ビスの頭部を覆うように合成樹脂製のビスキャップ３５を配置し、このビスキャップ３５には上記下框１１ｂ側に係止する係止片４１とこの係止片４１を常に上方に付勢する弾性部４２とを形成した。【選択図】図４
2010024621.tif 000002
【特許請求の範囲】
【請求項１】
窓枠に、ＦＩＸ用内障子と開閉可能な外障子とを設けた外動片引き窓において、ＦＩＸ用内障子の下框と上記窓枠の下枠に設けた内障子摺動用の内レールとの間に固定ピースを配置し、固定ピースを下框と内レールとに室内側からビス止め固定するとともに、上記下框と内レールの室内側から上記ビスの頭部を覆うように合成樹脂製のビスキャップを配置し、このビスキャップには上記下框側に係止する係止片とこの係止片を常に上方に付勢する弾性部とを形成したことを特徴とする外動片引き窓。
【請求項２】
上記ビスキャップに弾性部を形成することに代えて、ビスキャップと上記下枠との間に弾性部材を配置したことを特徴とする、請求項１に記載の外動片引き窓。
【発明の詳細な説明】
【技術分野】
【０００１】
本発明は、窓枠の内側に屋内側内障子と屋外側外障子とを設けるとともに、内障子を固定し、外障子を摺動自在に保持した外動片引き窓に関する。
【背景技術】
【０００２】
一般に、窓枠の内側には屋内側の内障子と屋外側の外障子とが設けられている。そのほかにも、内障子と外障子の間に中間障子を設けた３枚引きの窓や、内障子と外障子を２枚ずつ設けた４枚引きの窓も知られている。
【０００３】
ところで、これらの窓の中には、内障子をＦＩＸとして固定し、外障子のみを開閉自在に設けた外動片引き窓もある（特許文献１、２参照）。このように内障子をＦＩＸとする場合でも、窓枠の上下枠は、内障子用の案内レールが形成されたものが兼用されている。そして、内障子をＦＩＸとする場合は、ＦＩＸ用内障子の下框と下枠の内障子用案内レールとの間に固定ピースを配置し、固定ピースを下框と案内レールとに室内側からビス止め固定することにより、内障子が開閉作動できないように固定していた。この場合、固定ピースを固定するためのビスの頭部が室内側に露出するので、内観が損なわれる原因となっていた。そこで、ビス頭部を覆うキャップが係止装着されていた。
【特許文献１】特開平７−１２７３３９号公報
【特許文献２】特開平８−７４４７８号公報
【発明の開示】
【発明が解決しようとする課題】
【０００４】
しかしながら、従来のキャップは内障子の振動が繰り返されると、係止が外れてキャップが脱落してしまうことがあった。
【０００５】
本発明は上記問題点を解消し、ビス頭部を覆うビスキャップが振動等によって脱落するのを有効に防止することができる外動片引き窓を提供することをその課題とする。
【課題を解決するための手段】
【０００６】
前記課題を解決するため、請求項１に係る発明は、窓枠に、ＦＩＸ用内障子と開閉可能な外障子とを設けた外動片引き窓において、ＦＩＸ用内障子の下框と上記窓枠の下枠に設けた内障子用案内レールとの間に固定ピースを配置し、固定ピースを下框と案内レールとに室内側からビス止め固定するとともに、上記下框と案内レールの室内側から上記ビスの頭部を覆うように合成樹脂製のビスキャップを配置し、このビスキャップには上記下框側に係止する係止片とこの係止片を常に上方に付勢するバネ片とを形成したことを特徴とする。
【０００７】
請求項２に係る発明は、請求項１において、上記ビスキャップに弾性部を形成することに代えて、ビスキャップと上記下枠との間に弾性部材を配置したことを特徴とする。
【発明の効果】
【０００８】
請求項１に係る発明によれば、ＦＩＸ用内障子の下框と案内レールの室内側から上記ビスの頭部を覆うように合成樹脂製のビスキャップを配置したから、ビスの頭部が室内側に露出して内観が損なわれることがない。また、このビスキャップには下框側に係止する係止片とこの係止片を常に上方に付勢するバネ片とを形成したから、振動等によりビスキャップが下がるような力が作用しても、バネ片が常時係止片を常に上方に付勢して係止片が下框側に係止する状態を保持することができるから、係止が外れることはない。したがって、ビスキャップが振動等によって脱落するのを有効に防止することができる。
【０００９】
請求項２に係る発明によれば、ビスキャップと上記下枠との間に適宜の弾性部材を配置すればよいので、ビスキャップ自体の成形が容易となる。
【発明を実施するための最良の形態】
【００１０】
以下に本発明の最良の実施形態を図面によって説明する。
【００１１】
図１は外動片引き窓の内観正面図、図２は図１のＸ−Ｘ線上の断面図であり、図３は図１のＹ−Ｙ線上の断面図である。
【００１２】
同図において符号１は窓枠を示す。窓枠１はアルミニウムの押出型材からなる上枠１ａと下枠１ｂと左右の縦枠１ｃとを方形に枠組みしてなるものであり、上枠１ａにはそれぞれ屋内側から屋外側に摺動溝６と上レール７とが互いに平行に設けられている。下枠１ｂにはそれぞれ屋内側から屋外側に内レール４と外レール５とが互いに平行に設けられている。上部の摺動溝６、上レール７と下部の各レール４、５はそれぞれ上下に対応する位置に配置されている。
【００１３】
また、上下枠１ａ、１ｂの上レール７と外レール５には、外障子８が摺動自在に案内されている。上枠１ａの上レール７は外障子８の上端に形成された摺動溝９に係合している。また、下枠１ｂの外レール５には、外障子８の戸車１０が転動自在に支持されている。これに対し、上枠１ａの摺動溝６と下枠１ｂの内レール４との間には、内障子１１が固定されている。また、内障子１１の縦框１１ｃの中央突片１２の先端１６は直角に屈曲している。
【００１４】
すなわち、内障子１１は上下框１１ａ、１１ｂと左右の縦框１１ｃとを方形に框組みし、内側にガラス１３を取付けたものである。そして、上框１１ａの上部の摺動溝６と窓枠１の上枠１ａとの間には合成樹脂製の充填部材１５が充填されている。また、内障子１１の縦框１１ｃの中央突片１２の屈曲片１６と窓枠１の縦枠１ｃとは重合し、ビス１７で固定されている。
【００１５】
これに対し、内障子１１の下框１１ｂには通常は戸車が取付けられているが、戸車に代えて、固定ピース１８が取付けられている。固定ピース１８は、水平部２０の一端から下方に向かって垂直に屈曲した第１の取付部２１と他端から下方に向かって垂直に屈曲した間隔保持部２３とを下開口の凹字形に形成するとともに、間隔保持部２３の下方から斜め内側に傾斜した傾斜部２４を介して第２の取付部２２を延出してなるもので、第１の取付部２１と第２の取付部２２とは平行に形成され、間隔保持部２３の下端には直角の係合部２５が形成されている。第１の取付部２１の高さは、下框１１ｂの下面２６から屋外端の垂下縁２７の下端屈曲部２８までの高さと略同じである。第１の取付部２１の屋外側の水平部２０の幅は下框１１ｂの下端に形成された溝部３０に嵌まり合う大きさで、その厚さ（高さ）は、下框１１ｂに戸車がついている状態で下框１１ｂと下枠１ｂの内レール４との間に生じる間隔と略同じに形成されている。間隔保持部２３の高さは、下框１１ｂの下端に形成された溝部３０の溝底と下框１１ｂの屋内側の傾斜縁３１の下端に形成されたＬ形部３２の先端との間の間隔と略同じに形成されている。
【００１６】
固定ピース１８を下框１１ｂに取りつけるときは、固定ピース１８を内障子１１の下框１１ｂと下枠１ｂの内レール４との間からスライドさせ、内レール４上に配置した水平部２０を下框１１ｂの溝部３０に嵌め込み、間隔保持部２３を下框１１ｂの屋内側の傾斜縁３１の下端に形成されたＬ形部３２の先端上に載置した後、第１の取付部２１を下框１１ｂの屋外側の端部から下方に垂下した垂下縁２７の裏側（屋内側）に重合して屋外側からビス３３で固定し、さらに、第２の取付部２２を下枠１ｂの内レール４の裏側に重合して屋外側からビス３４で固定すればよい。
【００１７】
上記構成によれば、上下部のビス３３、３４と下框１１ｂの下端溝部３０に嵌合した第１の取付部２１、第２の取付部２２及び水平部２０とによって、内障子１１は戸車が付いた場合と同じ高さに保持される。また、内障子１１の縦框１１ｃと縦枠１ｃとはビス１７によって結合されているとともに、内障子１１の下框１１ｂと下枠１ｂとは上下部のビス３３、３４によって結合されているから、内障子１１はＦＩＸ状態となる。さらに、内障子１１の上框と上枠１ａとの間には充填部材１５が充填されているから、風圧などにより内障子１１ががたつくのが確実に防止される。
【００１８】
次に、上記固定ピース１８を固定した上下部のビス３３、３４は屋外側に露出するので、ビスキャップ３５によって覆われている。このビスキャップ３５は、図５及び図６（ａ）（ｂ）に示されるように、上部ビス３３を覆う上部覆い部３６と下部ビス３４を覆う下部覆い部３７とを水平の連結部３８で連結したＺ字形の合成樹脂製部材で、上部覆い部３６と下部覆い部３７の各覆い面にはリブ４０が形成されているとともに、連結部３８の上部には係止片４１が形成されている。
【００１９】
さらに、ビスキャップ３５の下端にはアーチ形の弾性部４２が形成されている。このようなアーチ形弾性部４２は、成形時に成形してもよいが、成形時には下側に脹らみをもたせておき、この部分にスリットを入れて形成してもよい。なお、この部分は弾性を有していればよく、必ずしもアーチ形に限定されない。
【００２０】
上記ビスキャップ３５によって上下部のビス３３、３４を覆うときは、図４及び図６に示されるように、ビスキャップ３５を下枠１ｂの上面と下框１１ｂの屋外側垂下縁２７の下端との間から押しこむ。これにより、ビスキャップ３５の係止片４１が上記垂下縁２７の下端屈曲部２８の端部に弾性的に係止する。
【００２１】
上記構成によれば、上部覆い部３６によって上部ビス３３が覆われ、下部覆い部３７によって下部ビス２４が覆われる。また、ビスキャップ３５の下端にはアーチ形の弾性部４２が形成されているので、ビスキャップ３５自体が常に上方に付勢される。したがって、係止片４１による係止状態が保持される。係止が外れてビスキャップ３５が外れることはない。
【００２２】
なお、上記ビスキャップ３５に弾性部４２を形成することに代えて、ビスキャップと上記下枠との間にゴム等の弾性部材（図示せず）を配置してもよい。この場合、ビスキャップの下面に弾性部材を接着等により一体化しておくのが好ましい。
【００２３】
また、上記ビスキャップ３５の係止片４１は、下框１１ｂの垂下縁２７ではなく、固定ピース１８の第１の取付部２１の下端に係止させてもよい。
【図面の簡単な説明】
【００２４】
【図１】外動片開き窓の一実施形態を示す内観正面図
【図２】図１のＸ−Ｘ線上の断面図
【図３】図１のＹ−Ｙ線上の断面図
【図４】図２の要部の拡大図
【図５】ビスキャップの斜視図
【図６】ビスキャップの取り付け状態を示す斜視図
【符号の説明】
【００２５】
１ａ  上枠
１ｂ  下枠
１ｃ  縦枠
４  内レール
５  外レール
１８  固定ピース
３３、３４  ビス
３５  ビスキャップ
４１  係止片
４２  弾性部
【図１】
2010024621.tif 000003
【図２】
2010024621.tif 000004
【図３】
2010024621.tif 000005
【図４】
2010024621.tif 000006
【図５】
2010024621.tif 000007
【図６】
2010024621.tif 000008